【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
ネットワークに接続し、該ネットワークを介して他の画像処理装置とデータの送受が可能な画像処理装置であって、
画像データ読み取り手段により入力した画像データを特定するための識別情報を付加する付加手段と、
前記付加手段により付加された識別情報を、前記ネットワークに接続する他の画像処理装置に対して配信し、該他の画像処理装置における画像データを特定するための識別情報を受信する通信手段と、
前記受信した識別情報と、前記付加手段により付加された識別情報と、に基づき前記入力した画像データと前記他の画像処理装置における画像データとの関連性を判断する判断手段と、
を備え、
前記通信手段は、前記判断手段により、前記画像データと前記他の画像処理装置における画像データとの関連性が認められたときに、前記識別情報を発信した他の画像処理装置との間で、前記ネットワーク上における固有のアドレス情報を送受し、
前記判断手段は、該アドレス情報に基づき前記関連性の有る画像データを格納する他の画像処理装置を特定することを特徴とする画像処理装置。
【請求項２】
前記識別情報には、前記画像データを特定するためのＩＤ番号と、該画像データに対応する開始ページ番号、終了ページ番号が含まれることを特徴とする請求項１に記載の画像処理装置。
【請求項３】
前記終了ページ番号は、前記開始ページ番号と、前記画像データの入力においてカウントされた原稿枚数とに基づき、
最終ページ番号＝開始ページ番号＋原稿枚数−１
として算出されることを特徴とする請求項２に記載の画像処理装置。
【請求項４】
前記判断手段は、前記付加手段により付加されたＩＤ番号と、前記通信手段により受信した前記他の画像処理装置におけるＩＤ番号と、に基づき前記画像データの共通性を判断することを特徴とする請求項１乃至３のいずれか１項に記載の画像処理装置。
【請求項５】
前記判断手段は、前記付加手段により付加された開始ページ番号及び終了ページ番号と、前記通信手段により受信した前記他の画像処理装置における開始ページ番及び終了ページ番号と、に基づき前記画像データの連続性を判断することを特徴とする請求項１乃至３のいずれか１項に記載の画像処理装置。
【請求項６】
前記入力した画像データに対してサムネイル画像を生成する手段と、
該サムネイル画像と、前記入力した画像データとを選択的に利用可能にして記憶する記憶手段と、を更に備えることを特徴とする請求項１に記載の画像処理装置。
【請求項７】
記憶手段が記憶可能な空き容量を調整する容量調整手段を更に備え、
前記容量調整手段は、前記空き容量が所定量以下となった場合に、前記判断手段により関連付けられた前記他の画像処理装置のいずれか１つを転送先として決定して前記記憶手段における空き容量を調整することを特徴とする請求項１に記載の画像処理装置。
【請求項８】
前記容量調整手段は、通信手段を介して前記関連付けられた他の画像処理装置における記憶装置の空き容量情報を取得し、該空き容量情報と該他の画像処理装置の識別情報とに基づき、他の画像処理装置の内から１つを前記画像データ及びサムネイル画像の転送先として決定することを特徴とする請求項１または７に記載の画像処理装置。
【請求項９】
前記通信手段は、前記容量調整手段により決定された転送先に対して、前記画像データ及びサムネイル画像を送信し、
前記付加手段は、前記通信手段を介して授受した画像データに対する識別情報を更新することを特徴とする請求項１または８に記載の画像処理装置。
【請求項１０】
ネットワークに接続し、該ネットワークを介して他の画像処理装置とデータの送受が可能な画像処理装置の制御方法であって、
画像データ読み取り手段により入力した画像データを特定するための識別情報を付加する付加工程と、
前記付加工程により付加された識別情報を、前記ネットワークに接続する他の画像処理装置に対して配信し、該他の画像処理装置における画像データを特定するための識別情報を受信する通信工程と、
前記受信した識別情報と、前記付加工程により付加された識別情報と、に基づき前記入力した画像データと前記他の画像処理装置における画像データとの関連性を判断する判断工程と、
を備え、
前記通信工程は、前記判断工程により、前記画像データと前記他の画像処理装置における画像データとの関連性が認められたときに、前記識別情報を発信した他の画像処理装置との間で、前記ネットワーク上における固有のアドレス情報を送受し、
前記判断工程は、該アドレス情報に基づき前記関連性の有る画像データを格納する他の画像処理装置を特定することを特徴とする画像処理装置の制御方法。
【請求項１１】
前記識別情報には、前記画像データを特定するためのＩＤ番号と、該画像データに対応する開始ページ番号、終了ページ番号が含まれることを特徴とする請求項１０に記載の画像処理装置の制御方法。
【請求項１２】
前記判断工程は、前記付加工程により付加されたＩＤ番号と、前記通信工程により受信した前記他の画像処理装置におけるＩＤ番号と、に基づき前記画像データの共通性を判断することを特徴とする請求項１０または１１に記載の画像処理装置の制御方法。
【請求項１３】
前記判断工程は、前記付加工程により付加された開始ページ番号及び終了ページ番号と、前記通信工程により受信した前記他の画像処理装置における開始ページ番及び終了ページ番号と、に基づき前記画像データの連続性を判断することを特徴とする請求項１０または１１に記載の画像処理装置の制御方法。
【請求項１４】
前記入力した画像データに対してサムネイル画像を生成する工程と、
該サムネイル画像と、前記入力した画像データとを選択的に利用可能にして記憶手段に記憶させる工程と、を更に有することを特徴とする請求項１０に記載の画像処理装置の制御方法。
【請求項１５】
記憶手段が記憶可能な空き容量を調整する容量調整工程を更に備え、
前記容量調整工程は、前記空き容量が所定量以下となった場合に、前記判断工程により関連付けられた前記他の画像処理装置のいずれか１つを転送先として決定して前記記憶手段における空き容量を調整することを特徴とする請求項１０に記載の画像処理装置の制御方法。
【請求項１６】
前記容量調整工程は、通信工程の処理により前記関連付けられた他の画像処理装置における記憶装置の空き容量情報を取得し、該空き容量情報と該他の画像処理装置の識別情報とに基づき、他の画像処理装置の内から１つを前記画像データ及びサムネイル画像の転送先として決定することを特徴とする請求項１０または１５に記載の画像処理装置の制御方法。
【請求項１７】
前記通信工程は、前記容量調整工程の処理により決定された転送先に対して、前記画像データ及びサムネイル画像を送信し、
前記付加工程は、前記通信工程の処理により授受した画像データに対する識別情報を更新することを特徴とする請求項１０または１６に記載の画像処理装置の制御方法。
【請求項１８】
請求項１乃至９のいずれか１項に記載の画像処理装置の機能をコンピュータが実行する機能として特定することを特徴とするコンピュータプログラム。
【請求項１９】
請求項１８に記載のコンピュータプログラムを格納することを特徴とするコンピュータ可読の記憶媒体。
【手続補正２】
【補正対象書類名】明細書
【補正対象項目名】０００７
【補正方法】変更
【補正の内容】
【０００７】
すなわち、ネットワークに接続し、該ネットワークを介して他の画像処理装置とデータの送受が可能な画像処理装置は、
画像データ読み取り手段により入力した画像データを特定するための識別情報を付加する付加手段と、
前記付加手段により付加された識別情報を、前記ネットワークに接続する他の画像処理装置に対して配信し、該他の画像処理装置における画像データを特定するための識別情報を受信する通信手段と、
前記受信した識別情報と、前記付加手段により付加された識別情報と、に基づき前記入力した画像データと前記他の画像処理装置における画像データとの関連性を判断する判断手段と、
を備え、
前記通信手段は、前記判断手段により、前記画像データと前記他の画像処理装置における画像データとの関連性が認められたときに、前記識別情報を発信した他の画像処理装置との間で、前記ネットワーク上における固有のアドレス情報を送受し、
前記判断手段は、該アドレス情報に基づき前記関連性の有る画像データを格納する他の画像処理装置を特定することを特徴とする。
【手続補正３】
【補正対象書類名】明細書
【補正対象項目名】００１６
【補正方法】変更
【補正の内容】
【００１６】
また、ネットワークに接続し、該ネットワークを介して他の画像処理装置とデータの送受が可能な画像処理装置の制御方法は、
画像データ読み取り手段により入力した画像データを特定するための識別情報を付加する付加工程と、
前記付加工程により付加された識別情報を、前記ネットワークに接続する他の画像処理装置に対して配信し、該他の画像処理装置における画像データを特定するための識別情報を受信する通信工程と、
前記受信した識別情報と、前記付加工程により付加された識別情報と、に基づき前記入力した画像データと前記他の画像処理装置における画像データとの関連性を判断する判断工程と、
を備え、
前記通信工程は、前記判断工程により、前記画像データと前記他の画像処理装置における画像データとの関連性が認められたときに、前記識別情報を発信した他の画像処理装置との間で、前記ネットワーク上における固有のアドレス情報を送受し、
前記判断工程は、該アドレス情報に基づき前記関連性の有る画像データを格納する他の画像処理装置を特定することを特徴とする。